(57)【要約】【課題】印刷忘れを防ぎ重複印刷を防止し且つ印刷済データの再印刷が可能なように印刷データを保存させる印刷済データ書込装置を提供する。【解決手段】プリンタ１は機体２の上部の装着部４に装着されコネクタ１８と連結された撮影機能付携帯型電子機器（携帯端末）３から又はスロット部１３の各スロット（１４、１５、１６、１７）に挿入された外部記憶媒体から読み込んだサムネイル画像を表示部８に表示する。ユーザはサムネイル画像を見て印刷したい画像を選択すると共にその画像の印刷枚数だけでなく印刷後の画像データに附加する例えば印刷日付、配布先等の指定データをキー入力する。携帯端末３は選択画像の刷後にプリンタ１から送信される指定データと「印刷済み」等の予め設定された固定データを受信して、その受信データをＥｘｉｆ画像ファイルのベンダー機能領域に書き込む。【選択図】      図１
2005109584.tif 000002
【特許請求の範囲】
【請求項１】
表示手段と、印刷手段と、外部記憶手段の装着部とを備え、前記外部記憶手段に記憶された情報を印刷手段により印刷する印刷済データ書込装置において、
前記外部記憶手段に対し、記憶された情報に対応して所定の情報を書き込むための書込信号を送出する送出手段を備えることを特徴とする印刷済データ書込装置。
【請求項２】
前記所定の情報は、前記外部記憶手段に記憶された情報が印刷済みであることを示す印刷済みデータであることを特徴とする請求項１記載の印刷済データ書込装置。
【請求項３】
前記所定の情報は、予め決められた固定の情報であることを特徴とする請求項１記載の印刷済データ書込装置。
【請求項４】
入力手段を更に備え、前記所定の情報は前記入力手段により入力された情報であることを特徴とする請求項１又は２記載の印刷済データ書込装置。
【請求項５】
前記入力手段により入力される情報は、印刷日付、印刷枚数、印刷物の配布先のうちの少なくとも一つの情報であることを特徴とする請求項４記載の印刷済データ書込装置。
【請求項６】
前記外部記憶手段は、デジタルスチールカメラ、カメラ付き携帯電話（ＰＨＳを含む）、ＰＤＡ（personal digital assistant）等の撮影機能付携帯型電子機器、フロッピー（登録商標）ディスク、ＳＤカード（登録商標）、スマートメディア（登録商標）等の外部記録媒体であることを特徴とする請求項１記載の印刷済データ書込装置。
【請求項７】
前記外部記憶装置に記憶された情報は、画像情報であることを特徴とする請求項１記載の印刷済データ書込装置。
【請求項８】
前記所定の情報が前記書込信号により書き込まれる情報書き込み位置は、前記外部記憶手段のデータ領域のベンダー位置であることを特徴とする請求項１記載の印刷済データ書込装置。
【発明の詳細な説明】
【技術分野】
【０００１】
本発明は、デジタルスチールカメラ（ＤＳＣ）、カメラ付き携帯電話（ＰＨＳを含む）、ＰＤＡ（personal digital assistant）等の携帯端末、フロッピー（登録商標）ディスク、ＳＤカード（登録商標）、スマートメディア（登録商標）、コンパクトフラッシュ（登録商標）、マルチメディアカード（登録商標）、メモリースティック（登録商標）、ｘDピクチャーカード（登録商標）等の外部記憶媒体の画像等のデータの印刷をした際に、画像等のデータに印刷済みであることを示す印刷済みデータを書き込む印刷済データ書込装置に関する。
【背景技術】
【０００２】
近年、パーソナルコンピュータ（以下、パソコンという）を介さずに、携帯端末を直接接続して、あるいは外部記憶媒体を挿入することにより、携帯端末や外部記憶媒体に記録されている画像を印刷するプリンタが増加している。
この方式は、例えばデジタルスチールカメラ（ＤＳＣ）等で撮影した写真を、パソコンを介さずに直接プリンタで手軽に印刷できるので、特にパソコンを持っていないユーザには大変便利である。また、このようなＤＳＣ内に記憶された画像データや、外部記憶媒体の画像データは、そのデータを消去しない限りは、何時でも何回でも印刷することができるのでこの点でも便利である。
【０００３】
ところが、保存した画像の枚数が多くなるに従って、どの画像が印刷済みであるかが解らなくなり、特に多人数で写した写真では、既に印刷して配布済みなのか未印刷かが解らなくなり、印刷忘れによる配布ミス或いは逆に２度印刷して重複して配布するような問題が多々発生する。
【０００４】
このような印刷忘れや２度印刷などの問題発生を防止するものとして、予め削除処理を指定しておくと印刷済みのデータを削除するプリンタ装置が提案されている。（例えば、特許文献１参照。）
【特許文献１】特開２００３−０９１４０９号公報（段落［００６４］、［００７１］、［００７２］、［００８１］、図４、図９）
【発明の開示】
【発明が解決しようとする課題】
【０００５】
しかしながら、上記特許文献１に記載の印刷済みのデータの削除方法では、ユーザは削除するか否かの選択ができるが、一旦削除処理を指定して印刷済みのデータを削除した場合は、重複して印刷するということは起こり得ないという利点はあるが、再度その印刷データを印刷する必要が生じたときには、もはや取り返しが付かないという問題がある。
【０００６】
本発明の課題は、上記従来の実情に鑑み、印刷忘れを防ぐとともに重複印刷を防止して且つ印刷済みデータの再度の印刷が可能なように印刷データを保存させる印刷済データ書込装置を提供することである。
【課題を解決するための手段】
【０００７】
以下に、本発明に係わる印刷済データ書込装置の構成を述べる。
本発明の印刷済データ書込装置は、表示手段と、印刷手段と、外部記憶手段の装着部とを備え、上記外部記憶手段に記憶された情報を印刷手段により印刷する印刷済データ書込装置において、前記外部記憶手段に対し、記憶された情報に対応して所定の情報を書き込むための書込信号を送出する送出手段を備えて構成される。
【０００８】
上記所定の情報は、例えば外部記憶手段に記憶された情報が印刷済みであることを示す印刷済みデータであり、また、例えば予め決められた固定の情報であってもよい。
この印刷済データ書込装置は、例えば入力手段を更に備え、上記所定の情報は上記入力手段により入力された情報であるように構成してもよい。この場合、上記入力手段により入力される情報は、例えば印刷日付、印刷枚数、印刷物の配布先のうちの少なくとも一つの情報であることが好ましい。
【０００９】
また、上記外部記憶手段は、例えばデジタルスチールカメラ、カメラ付き携帯電話（ＰＨＳを含む）、ＰＤＡ（personal digital assistant）等の撮影機能付携帯型電子機器、フロッピー（登録商標）ディスク、ＳＤカード（登録商標）、スマートメディア（登録商標）等の外部記憶媒体で構成される。
【００１０】
本発明において、上記外部記憶手段に記憶された情報は、例えば画像情報である。また、上記所定の情報が上記書込信号により書き込まれる情報書き込み位置は、例えば上記外部記憶手段のデータ領域のベンダー位置であるように構成するこのが好ましい。
【発明の効果】
【００１１】
以上に説明したように、本発明によれば、ＤＳＣ等の撮影機能付携帯型電子機器やこれらから脱抜されたフラッシュメモリー、フロッピー（登録商標）ディスク、ＳＤカード、スマートメディア等の外部記憶媒体に記憶された画像を印刷した際に、印刷済みであることを示す情報、或いは印刷日付、枚数、プリントの配布先等を任意に書き込むことができるので、特に保存画像が多くなった場合に、撮影機能付携帯型電子機器やその外部記憶媒体に対し、印刷抜けや印刷忘れによる配布ミスを防ぐとともに重複して印刷・配布するな重複印刷ミスを防止し且つ印刷済みデータの再度の印刷が可能なように印刷データを保存させることができて便利である。
【発明を実施するための最良の形態】
【００１２】
（実施形態１）
図１(a) は、一実施の形態におけるクレードル式のプリンタを正面方向から見た斜視図であり、同図(b) は、その後方向から見た斜視図である。同図(a),(b) に示すように、このプリンタ１は、機体２の上部に、デジタルスチールカメラ（ＤＳＣ）、カメラ付き携帯電話（ＰＨＳを含む）、ＰＤＡ等の撮影機能付携帯型電子機器（以下、代表的にＤＳＣとして説明する）３を装着することができる装着部４が設けられている。
【００１３】
装着部４の横には、簡単な操作であれば後方からでも操作が可能な構成の複数の入力キーを備えた入力操作部５が配設されており、この入力操作部５には印刷開始キー６が配置されている。また、機体２の前方には、折り畳み式のキーボード７が設けられており、同図(a) のようにキーボード７を開いて露出した機体２の前面には液晶表示装置から成る表示部８が設けられている。上記のキーボード７からはキー入力によって、ワードプロセッサで作成すると同様の文章を作成して、表示部８に表示することができる。
【００１４】
また、機体２の後方には、同図(b) に示すように、開いたときには二段重ねの形状となる折り畳み式の下方の給紙トレー９と上方の排紙トレー１１が配設され、排紙トレー１１の上方の機体２の後面には、下部に開口する排紙口１２と、その上にスロット部１３が設けられている。スロット部１３には、フロッピー（登録商標）ディスクスロット１４、ＣＤ−ＲＷスロット１５、ＳＤカード又はスマートメディアスロット１６、ＭＯ（Magneto Optical disk）スロット１７等が配設されている。
【００１５】
上記の装着部４にはコネクタ１８が設けられており、同図(a) に示すように、装着部４にＤＳＣ３を装着することにより、ＤＳＣ３の底部のコネクタと装着部４に設けられたコネクタ１８が結合するようになっている。このコネクタ１８には、後述する画像データの授受端子の他に、ＤＳＣ３に内蔵された電池を充電するための端子も設けられている。
【００１６】
このプリンタ１は、装着部４に装着されるＤＳＣ３内に記録されているデータを印刷することの他に、スロット部１３の各スロットに装着されるフロッピー（登録商標）ディスク、ＣＤ−ＲＷ、ＳＤカード、スマートメディア、ＭＯ或いはコンパクトフラッシュ（登録商標）、マルチメディアカード、メモリースティック、ｘDピクチャーカード等の外部記憶媒体に記憶された画像等のデータを印刷することができる。
【００１７】
また、このプリンタ１は、キーボード７から入力したデータ、或いはキーボード７から入力したデータとＤＳＣ３や外部記憶媒体のデータを合成したデータを作成して、この合成データを印刷することができる。即ち通常のワープロ機能と、画像を合成できるワープロ機能を備え、特に写真入りの年賀状の作成に適している。
【００１８】
図２は上記プリンタ１の機能ブロック図である。同図に示すように、プリンタ１は、ＣＰＵ（central processing unit）２０と、このＣＰＵ２０にバス２１を介して接続されたＲＯＭ（read only memory）２２、ＲＡＭ（random access memory）２３、Ｉ／Ｆ（インターフェース）２４、記憶媒体用コネクタ２５、表示部８、キーボード・センサ部２６、印字ヘッド・負荷部２７を備え、更に、これらの各回路に電力を供給する電源部２８を備えている。
【００１９】
ＲＯＭ２２には、このプリンタ１全体の動作を制御するプログラムが格納されている。ＣＰＵ２０は、ＲＯＭ２２から上記のプログラムを順次読み出し、ＲＡＭ２３をワークメモリとして使用しながら、プログラムに従って上記各部の動作を制御する。
Ｉ／Ｆ２４は、図１(b) に示した装着部４のコネクタ１８を備えており、このコネクタ１８には、前述したＤＳＣ３（以下、携帯端末３ともいう）が着脱自在に装着される。Ｉ／Ｆ２４は、コネクタ１８に装着された携帯端末３の内蔵又は着脱式の記憶媒体から画像データを読み出して、この読み出した画像データをＣＰＵ２０に出力し、更には、ＣＰＵ２０から出力されるキーボード７から入力されたデータを附加した画像データを上記の記憶媒体の対応する領域に書き込む。
【００２０】
更にＩ／Ｆ２４は、電源部２８から供給される充電用電力を、装着部４のコネクタ１８及び携帯端末３のコネクタを介して携帯端末３に供給し、携帯端末３に内蔵または着脱式の充電型電池を充電する。
このように、このプリンタ１は、携帯端末３に内蔵された又は着脱式に装着されている電池を充電する充電器の機能を兼ね備えている。
【００２１】
記憶媒体用コネクタ２５は、図１(b) に示したスロット部１３に設けられている各スロット（ＳＤカード又はスマートメディアスロット１６等）の奥に設けられたコネクタ、又はフロッピー（登録商標）ディスクスロット１４、ＣＤ−ＲＷスロット１５、ＭＯスロット１７等の内部に配置されたメディアドライバ装置の読み書きヘッドであり、各スロットに対応する異なる形状の各外部記憶媒体に電気的に接続する。
【００２２】
上記の記憶媒体用コネクタ２５は、スロット部１３のスロットに挿入された外部記憶媒体２９から画像データを読み出して、この読み出した画像データをＲＡＭ２３に出力し、更には、ＣＰＵ２０の制御の基に出力されるキーボード７から入力されたデータを附加した画像データを上記の外部記憶媒体２９の対応する領域に書き込む。
【００２３】
表示部８は、プリンタ１からの、つまりＲＯＭ２２に書き込まれたユーザへのメッセージや、ユーザがキーボード７から入力した文章等を表示する。
キーボード・センサ部２６は、入力部であり、上記キーボード７からの入力イベントや例えば不図示の用紙センサ等の各部のセンサからの検知信号をＣＰＵ２０に通知する。
【００２４】
印字ヘッド・負荷部２７は、インクジェット式の印字ヘッドを保持して主走査方向に往復移動するキャリッジを駆動するモータその他の負荷部である。尚、印字ヘッドは、プリンタ１が大型機の場合は、レーザ照射装置又はＬＥＤ素子アレイ等で構成してもよい。
また、このプリンタ１は、上記の各回路に電力を供給する電源部２８を備えている。この電源部２８は、上記の各回路に電力を供給するだけでなく、Ｉ／Ｆ２４（装着部４のコネクタ１８）を介して装着される携帯端末３に内蔵または着脱式の充電型電池からなる後述する電源部に充電用電力を供給する。
【００２５】
図３(a),(b) は、上記プリンタ１の装着部４に装着される携帯端末３の一例としてのデジタルカメラを示す図であり、同図(a) は、その前面から見た外観構成を示す斜視図、同図(b) は、その背面からみた外観構成を示す斜視図である。
同図(a),(b) に示すデジタルカメラ３０は、略矩形の薄板状本体の前面に、撮影レンズ３１、セルフタイマランプ３２、光学ファインダ窓３３、及びストロボ発光部３４が配設されている。また、上面には、電源キー３５及びシャッタキー３６が配設されている。撮影レンズ３１は、ズーム動作や合焦動作が行われるものであるが、薄型の本体に搭載するたため、例えば単焦点レンズで且つ固定焦点であるものでもよい。
【００２６】
電源キー３５は、１回の押圧操作で電源をオン、次の押圧操作で電源をオフすることを繰り返すキーである。シャッタキー３６は、撮影モード時にはシャッタを指示する一方で、メニュー選択等では設定／実行を指示するキーとしても機能するキーである。
また、デジタルカメラ３０の背面には、同図(b) に示すように、モードスイッチ（ＳＷ）３７、メニューキー３８、十字キー３９、光学ファインダ４１、ストロボチャージランプ４２、及び表示部４３が配設されている。
【００２７】
モードスイッチ３７は、例えばスライドスイッチにより構成され、撮影モード「Ｒ」と再生モード「Ｐ」とを切換える。
メニューキー３８は、各種メニュー選択時に操作する。
表示部４３は、バックライト付きのカラー液晶パネルで構成され、撮影モード時には電子ファインダとしてモニタ表示を行なう一方で、再生モード時には選択した画像を再生表示する。
【００２８】
なお、図では陰になって見えないが、本体の下面４４には蓋付きのメモリカードスロットとコネクタが設けられている。コネクタは、このデジタルカメラ３０がプリンタ１の装着部４に装着されたとき、装着部４のコネクタ１８に自動的に連結され、画像データの授受や、内蔵の電池の充電を行う。また、メモリカードスロットには、このデジタルカメラ３０の外部記憶媒体であるメモリカードが着脱自在に装着されるようになっている。
【００２９】
図４は、上記デジタルカメラ３０の電子回路構成のブロック図である。同図により、デジタルカメラ３０の機能を説明する。
撮影モードでのモニタリング状態においては、モータ（Ｍ）４５の駆動により絞り位置が移動される、上記の撮影レンズ３１を含むレンズ光学系４６の撮影光軸後方に配置された撮像素子であるＣＣＤ（Charge Coupled Device）４７が、タイミング発生器（ＴＧ）４８、垂直ドライバ４９によって走査駆動され、一定周期毎に結像した光像に対応する光電変換出力を１画面分出力する。
【００３０】
この光電変換出力は、アナログ値の信号の状態でＲＧＢの各原色成分毎に適宜ゲイン調整された後に、サンプルホールド回路（Ｓ／Ｈ）５１でサンプルホールドされ、Ａ／Ｄ変換器５２でデジタルデータに変換され、カラープロセス回路５３で画素補間処理及びγ補正処理を含むカラープロセス処理が行なわれて、デジタル値の輝度信号Ｙ及び色差信号Ｃｂ，Ｃｒが生成され、ＤＭＡ（Direct Memory Access）コントローラ５４に出力される。
【００３１】
ＤＭＡコントローラ５４は、カラープロセス回路５３の出力する輝度信号Ｙ及か色差信号Ｃｂ，Ｃｒを、同じくカラープロセス回路５３からの複合同期信号、メモリ書込みイネーブル信号、及びクロック信号を用いて一度ＤＭＡコントローラ５４内部のバッファに書込み、ＤＲＡＭ（Dynamic Random Access Memory）インタフェース（Ｉ／Ｆ）５５を介し
てバッファメモリとして使用されるＤＲＡＭ５６にＤＭＡ転送を行なう。
【００３２】
電源部５７は、充電式の内蔵電池により、各電子回路に電力を供給する。Ｉ／Ｆ部５８は、本体下面４４のコネクタを介して画像データや外部入力データの入出力および電源部５７の充電のための電力を外部電源から導入する。
フラッシュメモリ５９は、このデジタルカメラ３０に内蔵の記憶媒体としてもよく又は着脱式の外部記憶媒体としてもよい。また、プリンタ１の装着部４に装着されるものがデジタルカメラ３０ではなく、他の形式の撮影機能付携帯型電子機器の場合はフラッシュメモリではなく他の形式の外部記憶媒体であっても良く、また外部記憶媒体でなく内蔵のメモリであっても良い。
【００３３】
制御部６１は、ＣＰＵと、後述する色強調処理を含むＣＰＵで実行される動作プログラムを固定的に記憶したＲＯＭ、及びワークメモリとして使用されるＲＡＭ等により構成され、このデジタルカメラ３０全体の動作を制御する。また、制御部６１は、上記輝度及び色差信号のＤＲＡＭ５６へのＤＭＡ転送終了後に、この輝度及び色差信号をＤＲＡＭインタフェース５５を介してＤＲＡＭ５６より読出し、ＶＲＡＭ（Video Random Access Memory）コントローラ６２を介してＶＲＡＭ（Video Random Access Memory）６３に書込む。
【００３４】
デジタルビデオエンコーダ６４は、上記輝度及び色差信号をＶＲＡＭコントローラ６２を介してＶＲＡＭ６３より定期的に読出し、これらのデータを元にビデオ信号を発生して上記表示部４３に出力する。
この表示部４３は、上述した如く撮影モード時にはモニタ表示部（電子ファインダ）として機能し、デジタルビデオエンコーダ６４からのビデオ信号に基づいた表示を行なうことで、その時点でＶＲＡＭコントローラ６２から取込んでいる画像情報に基づく画像をリアルタイムに表示する。
【００３５】
このように表示部４３にその時点での画像がモニタ画像としてリアルタイムに表示されている状態で、静止画撮影を行ないたいタイミングで、キー入力部６５の一部を構成する上記のシャッタキー３６が押し操作されると、トリガ信号が発生する。
制御部６１は、このトリガ信号に応じてその時点でＣＣＤ４７から取込んでいる１画面分の輝度及び色差信号のＤＲＡＭ５６へのＤＭＡ転送の終了後、直ちにＣＣＤ４７からのＤＲＡＭ５６への経路を停止し、記録保存の状態に遷移する。
【００３６】
この記録保存の状態では、制御部６１がＤＲＡＭ５６に書込まれている１フレーム分の輝度及び色差信号をＤＲＡＭインタフェース５５を介してＹ，Ｃｂ，Ｃｒの各コンポーネント毎に縦８画素×横８画素の基本ブロックと呼称される単位で読出してＪＰＥＧ（Joint Photograph coding Experts Group ）回路６６に書込み、このＪＰＥＧ回路６６でＡＤＣＴ（Adaptive Discrete Cosine Transform：適応離散コサイン変換）、エントロピ符号化方式であるハフマン符号化等の処理によりデータ圧縮する。
【００３７】
そして、得た符号データを１画像のデータファイルとして該ＪＰＥＧ回路６６から読出し、このデジタルカメラ３０の記憶媒体としての不揮発性メモリであるフラッシュメモリ５９に書込む。なお、フラッシュメモリ５９の代わりにデジタルカメラ３０に着脱自在に装着される外部記憶媒体に書き込んでも良い。
【００３８】
そして、１フレーム分の輝度及び色差信号の圧縮処理及びフラッシュメモリ５９への全圧縮データの書込み終了に伴なって、制御部６１はＣＣＤ４７からＤＲＡＭ５６への経路を再び起動する。
上記のキー入力部６５は、上述した電源キー３５、シャッタキー３６、モードスイッチ３７、メニューキー３８、及び十字キー３９から構成され、それらのキー操作に伴なう信号は直接制御部６１へ送出される。
【００３９】
再生モード時には、制御部６１がフラッシュメモリ５９に記録（記憶）されている画像データを選択的に読出し、ＪＰＥＧ回路６６で画像撮影モード時にデータ圧縮した手順と全く逆の手順で圧縮されている画像データを伸長し、伸長した画像データをＶＲＡＭコントローラ６２を介してＶＲＡＭ６３に展開して記憶させた上で、このＶＲＡＭ６３より定期的に読出し、これらの画像データを元にビデオ信号を発生して上記表示部４３で再生出力させる。
【００４０】
図５は、上記のような構成のプリンタ１と携帯端末３との間において処理される動作を説明するフローチャートであり、同図の左側は携帯端末３（又は外部記憶媒体）側の処理を説明するフローチャート、同図の右側はプリンタ１側の処理を説明するフローチャートである。
【００４１】
先ず、同図において、印刷処理の開始されると（Ｓ１、ＳＴ１）、携帯端末３をプリンタ１の装着部４に装着し、装着部４のコネクタ１８に、携帯端末３の本体下面４４のＩ／Ｆ部５８が接続される。又はプリンタ１のスロット部１３のいずれかのスロットに挿入された外部記憶媒体がプリンタ１の記憶媒体用コネクタ２５に接続される（Ｓ２）。
【００４２】
これにより、携帯端末３（デジタルカメラ、カメラ付き携帯電話等）の場合は、本体の電源がオンされると共に本体内蔵の又は着脱式の電源用電池に、プリンタ１側から供給される電力により充電が開始される（ＳＴ２）。また、外部記憶媒体の場合は、接続確認などの処理が行われる。
【００４３】
上記のように携帯端末３の電源がオン（又は外部記憶媒体の接続確認）されると、フラッシュメモリ５９（又はスロット部１３の外部記憶媒体、以下同様）に記録された画像データのサムネイル画像データが、携帯端末３のＩ／Ｆ部５８及びコネクタ１８（又は記憶媒体用コネクタ２５、以下同様）を介してプリンタ１に送信（又は読み出し、以下同様）される（ＳＴ３）。
【００４４】
このサムネイル画像データを受信（又は読み出し、以下同様）したプリンタ１側では、ＣＰＵ２０が、表示部８に所定枚数毎にサムネイル画像を表示する（Ｓ３）ように制御する。
尚、上記の処理ＳＴ３では、携帯端末３でサムネイル画像データを記憶している場合はそのまま送信し、サムネイル画像データを記憶していない場合はサムネイル画像データを作成して（携帯端末３の場合のみ）送信する。あるいは記録されている画像データをそのままプリンタ１へ送信して、プリンタ１でサムネイル画像データを作成するようにしても良い。
【００４５】
ここで、ユーザによるキーボード７からのキー入力により、上記表示部８に表示されている複数枚のサムネイル画像から印刷したい画像のサムネイル画像が選択入力されると、そのサムネイル画像に関する情報がＲＡＭ２３に一時的に記憶される（Ｓ４）。
尚、この選択では、入力操作部５又はキーボード７に、全選択キーを設けておいて全ての画像を印刷するようにしても良い。また、すでに印刷済み情報が記憶されている画像がある場合は、未印刷画像のみを印刷するような選択もできるようにしても良い。
【００４６】
続いて、ＣＰＵ２０は、ユーザからのデータ入力を判別する（Ｓ５）。この処理では、ユーザにより、印刷後の画像データに附加するための何らかのデータとして後述する固定データ以外に、キー入力によって入力するデータ（指定データ）の書き込みを行うか否かの選択が行われ、その選択イベントがＣＰＵ２０に通知される。
【００４７】
上記処理Ｓ５におけるユーザから入力された選択イベントの判別で、指定データを入力するのであれば（Ｓ５がＹ）、書き込みするデータ（例えば印刷日付、枚数、配布先等のうちの少なくとも一つのデータ）の入力がキーボード７から行われる（Ｓ６）。
尚、この処理では、ユーザは、処理Ｓ４で選択した画像に対し一括して書き込みするデータを入力するか、個々の画像に対して異なる書き込みデータを入力しても良い。例えば、画像Ａには「印刷枚数」、画像Ｂには「印刷日付、印刷枚数、配布先」、画像Ｃには「印刷日付、配布先」、画像Ｄには「印刷日付」等である。これらのキー入力データはＲＡＭ２３の所定の記憶領域に「指定データ」として対応する画像データに関連付けられて記憶される。
【００４８】
続いて、処理Ｓ４で指定された画像に対する印刷枚数が指定される（Ｓ７）。この処理では、全ての指定画像を同一枚数に指定しても良いし、指定画像ごとに個々に枚数を異ならせて指定しても良い。また、処理Ｓ６において印刷枚数を入力した場合はこの処理Ｓ７をスキップするようにしても良い。また、処理Ｓ５におい「Ｎ」を選択することが解っている場合は処理Ｓ４で枚数を指定してこの処理Ｓ７をスキップするようにしても良い。
【００４９】
上記の処理Ｓ５〜Ｓ７の処理は、ユーザにより印刷開始キー６が操作されない間（Ｓ８がＮ）、繰り返される。
そして、ユーザによる上記の入力が全て完了し、ユーザにより印刷開始キー６が操作されたことが判別されると（Ｓ８がＹ）、処理Ｓ４で指定された画像の画像データの転送要求がプリンタ１から携帯端末３に出され（Ｓ９）、この転送要求を受けて、携帯端末３から指定された画像データがプリンタ１へ送信され（ＳＴ９）、プリンタ１では上記の画像データが取り込まれる（同じくＳ９）。尚、ＳＴ３でサムネイル画像を送信しないで記録されている画像データをそのまま送信した場合はＳ９及びＳＴ９をスキップする。
【００５０】
そして、その取り込まれた画像データによる画像の印刷が行われる（Ｓ１０）。画像を印刷された用紙は、排紙トレー１１上に排出される。
続いて、ＣＰＵ２０は、処理Ｓ４で指定されたすべての画像の印刷が終了しているか否かを判別し（Ｓ１１）、終了していない場合は（Ｓ１１がＮ）、処理Ｓ９に戻り、次の画像データを取り込み、その画像を処理Ｓ１０にて印刷するということを繰り返す。
【００５１】
尚、上記の処理ＳＴ９では、プリンタ１が小容量のメモリしか備えていない場合は１枚毎の画像データが送信される。他方、プリンタ１が大容量のメモリを備えている場合は全ての画像データが送信されるようにしてもよい。その場合、処理Ｓ１１がＮの場合は処理Ｓ９に戻っても画像データの転送要求を行うことなく、そのまま残りの画像を印刷することになる。
【００５２】
また、処理Ｓ９では、プリンタ１のＲＡＭ２３の容量が一杯になるまで画像データを取り込むようにしても良く、その場合は、処理Ｓ１１がＮの場合は処理Ｓ９に戻っても画像データの転送要求を行うことなく、そのまま取り込んだＲＡＭ２３の画像データを全て印刷したのち、更に処理Ｓ１１がＮの場合は処理Ｓ９に戻って、次の画像データを取り込むようにする。
【００５３】
上記の処理を繰り返して、処理Ｓ１１の判別で、指定された画像の印刷が全て終了した場合は（Ｓ１１がＹ）、続いて、ＣＰＵ２０は、ＲＡＭ２３の所定の記憶領域を参照し、処理Ｓ６でキー入力された「指定データ」が有るか否かを判別する（Ｓ１２）。
そして、処理Ｓ６で指定データが入力されている場合は（Ｓ１２がＹ）、その指定データを携帯端末３に送信する（Ｓ１３）。
【００５４】
携帯端末３では、上記送信された指定データを画像に対応させて記憶（書込）する（ＳＴ１３）。この処理では、携帯端末３は、全ての画像に共通に指定されたデータ、或いは各画像毎に指定されたデータを画像に対応付けて記憶する。例えば、画像Ａには「印刷枚数」、画像Ｂには「印刷日付、印刷枚数、配布先」、画像Ｃには「印刷日付、配布先」、画像Ｄには「印刷日付」等のように、画像毎に異なるデータの書込が可能である。
【００５５】
上記に続いて、ＣＰＵ２０は、固定データを携帯端末３に送信する（Ｓ１４）。この処理では、固定データとして例えば「印刷済み」が設定されていた場合には、ここでその固定データ「印刷済み」が携帯端末３に送信される。
そして、携帯端末３では、「印刷済み」であることを対応する画像データに書き込む（ＳＴ１４）。
【００５６】
尚、処理Ｓ１２の判別で、「指定データ」が無い場合には、直ちに処理Ｓ１４の処理に移行する。また、処理Ｓ３と処理Ｓ４の間、或いは処理Ｓ４と処理Ｓ５の間において、固定データも書き込まないような選択肢が設けられており、その選択肢が選択された場合には、処理Ｓ１１ですべての処理が終了する。
【００５７】
ここで、上記の固定データ或いは指定データの書き込みについては、Ｅｘｉｆ画像ファイル規定のベンダー機能には各社の独自機能の定義領域が設定されているので、そのベンダー機能領域に固定データや指定データを書き込むことが好ましいが、他の領域でもＥｘｉｆ画像ファイル規定に影響を与えない範囲であれば勿論可能である。
【００５８】
このようにＥｘｉｆ画像ファイルに書き込まれた情報は、処理Ｓ３でサムネイル画像を表示する時に、それらのサムネイル画像に関連付けて見ることができるようにすることにより、次の印刷の時に無駄な重複印刷や印刷抜け等の不具合を防止することができる。
【図面の簡単な説明】
【００５９】
【図１】(a) は一実施の形態におけるプリンタを正面方向から見た斜視図、(b) はその後方向から見た斜視図である。
【図２】上記プリンタの機能ブロック図である。
【図３】上記プリンタの装着部に装着される撮影機能付携帯型電子機器（携帯端末）の一例としてのデジタルカメラを示す図であり、(a) はその前面から見た外観構成を示す斜視図、(b) はその背面からみた外観構成を示す斜視図である。
【図４】上記デジタルカメラの電子回路構成のブロック図である。
【図５】上記構成のプリンタと携帯端末との間において処理される動作を説明するフローチャートである。
【符号の説明】
【００６０】
１      プリンタ
２      機体
３      ＤＳＣ、携帯端末、撮影機能付携帯型電子機器
４      装着部
５      入力操作部
６      印刷開始キー
７      キーボード
８      表示部
９      給紙トレー
１１    排紙トレー
１２    排紙口
１３    スロット部
１４    フロッピー（登録商標）ディスクスロット
１５    ＣＤ−ＲＷスロット
１６    ＳＤカード又はスマートメディアスロット
１７    ＭＯスロット
１８    コネクタ
２０    ＣＰＵ（central processing unit）
２１    バス
２２    ＲＯＭ（read only memory）
２３    ＲＡＭ（random access memory）
２４    Ｉ／Ｆ（インターフェース）
２５    記憶媒体用コネクタ
２６    キーボード・センサ部
２７    印字ヘッド・負荷部
２８    電源部
２９    外部記憶媒体
３０    デジタルカメラ
３１    撮影レンズ
３２    セルフタイマランプ
３３    光学ファインダ窓
３４    ストロボ発光部
３５    電源キー
３６    シャッタキー
３７    モードスイッチ（ＳＷ）
３８    メニューキー
３９    十字キー
４１    光学ファインダ
４２    ストロボチャージランプ
４３    表示部
４４    本体下面
４５    モータ（Ｍ）
４６    レンズ光学系
４７    ＣＣＤ（Charge Coupled Device）
４８    タイミング発生器（ＴＧ）
４９    垂直ドライバ
５１    サンプルホールド回路（Ｓ／Ｈ）
５２    Ａ／Ｄ変換器
５３    カラープロセス回路
５４    ＤＭＡ（Direct Memory Access）コントローラ
５５    ＤＲＡＭ（Dynamic Random Access Memory）インタフェース（Ｉ／Ｆ）
５６    ＤＲＡＭ（Dynamic Random Access Memory）
５７    電源部
５８    Ｉ／Ｆ部
５９    フラッシュメモリ
６１    制御部
６２    ＶＲＡＭ（Video Random Access Memory）コントローラ
６３    ＶＲＡＭ（Video Random Access Memory）
６４    デジタルビデオエンコーダ
６５    キー入力部
６６    ＪＰＥＧ（Joint Photograph coding Experts Group ）回路
【図１】
2005109584.tif 000003
【図２】
2005109584.tif 000004
【図３】
2005109584.tif 000005
【図４】
2005109584.tif 000006
【図５】
2005109584.tif 000007